(57)【要約】【課題】通常形態では電気錠として使用でき、本体部を電気駆動部と分離して機械錠として使用することもできる施錠装置を提供することを課題とする。【解決手段】駆動モータ（駆動装置）１２および駆動モータ１２により直線駆動されるスライダ（第１入力部材）１８を有する電気駆動部１０と、スライダ１８の直線動作をデッドボルト２２の進退動作に変換する第１動作変換機構２３および手動入力によるハブギア（第２入力部材）２４の回転動作をデッドボルト２２の進退動作に変換する第２動作変換機構２５を有する本体部２０をそれぞれユニット化し、スライダ１８を第１動作変換機構２３のリンクプレート２９に着脱可能に連結した構造とすることにより、通常形態では電気錠として使用でき、スライダ１８をリンクプレート２９から切り離すと、本体部２０を電気駆動部１０と分離して機械錠として使用できるようにした。【選択図】図７
2019027221.tif 000002
【特許請求の範囲】
【請求項１】
通電によって作動する駆動装置と、前記駆動装置によって直線駆動される第１入力部材とを有する電気駆動部と、
デッドボルトと、前記第１入力部材の直線動作を前記デッドボルトの進退動作に変換する第１動作変換機構と、鍵またはサムターンからの手動入力によって回転駆動される第２入力部材と、前記第２入力部材の回転動作を前記デッドボルトの進退動作に変換する第２動作変換機構とを有する本体部と、
を備えた施錠装置において、
前記電気駆動部および前記本体部はそれぞれユニット化され、前記第１入力部材が第１動作変換機構に着脱可能に連結されており、前記第１入力部材を第１動作変換機構から切り離すことにより、前記電気駆動部と本体部とが分離されて、前記本体部が単体で機械錠として使用可能となることを特徴とする施錠装置。
【請求項２】
前記デッドボルトは、その進退方向に平行に配される２枚の板状部材を、所定の間隔をおいて対向させた状態で締結部材によって締結したものであることを特徴とする請求項１に記載の施錠装置。
【発明の詳細な説明】
【技術分野】
【０００１】
本発明は、電動入力と手動入力のいずれによっても施錠・開錠が行えるようにした施錠装置に関する。
【背景技術】
【０００２】
近年、一般に「電気錠」等と呼ばれ、電動入力によりキーレスで施錠・開錠が行える施錠装置が普及しつつある。ただし、このような施錠装置（電気錠）は、電動入力での施錠・開錠だけでなく、停電時等の緊急時に備えて従来の鍵やサムターンを使った手動入力での施錠・開錠もできる構造となっている必要がある。
【０００３】
例えば、特許文献１で提案されている電気錠は、錠ケース内で直線移動可能に保持されたデッドボルトの後端部を、錠ケースに回動自在に支持された最終従動歯車と一体の作動アームに係合させ、その最終従動歯車を複数の歯車を介して駆動モータに連結し、最終従動歯車の中心部に手動入力用の係合孔をあけたもので、電動入力時には、駆動モータの回転が各歯車を介して最終従動歯車に伝達され、作動アームが回動してデッドボルトを直線移動させることにより施錠・開錠を行い、手動入力時には、最終従動歯車の係合孔に相対回転不能に挿通されたシリンダの鍵穴に差し込んだ鍵を回すか、あるいはシリンダに連結されたサムターンを回し、作動アームを介してデッドボルトを直線移動させることにより施錠・開錠を行うようになっている。
【先行技術文献】
【特許文献】
【０００４】
【特許文献１】特開平４−３６８５８０号公報
【発明の概要】
【発明が解決しようとする課題】
【０００５】
ところで、上記のような電気錠では、電動入力と手動入力のいずれでも施錠・開錠が行えるようにする必要があるので、手動入力のみで施錠・開錠を行う従来の錠（以下、「機械錠」と称する。）に比べると、構造が複雑で全体のサイズも大きくならざるをえない。また、玄関ドア用のもの等では、電動入力用のリモコンと非常時の手動入力用の鍵を常時携帯する必要があり、これが煩わしく感じられることもある。
【０００６】
このため、錠の設置スペースや用途によっては、設置直前に電気錠から機械錠への仕様変更や、設置後の電気錠の機械錠への交換が求められることがある。このような要求にスムーズに対応するには、電気錠の種類ごとにその電気錠と容易に交換できる機械錠を揃えておけばよいが、そのような製品体系を用意しようとすると、設計・製造工程におけるムダが多くなる。
【０００７】
そこで、本発明は、通常形態では電気錠として使用でき、本体部を電気駆動部と分離して機械錠として使用することもできる施錠装置を提供することを課題とする。
【課題を解決するための手段】
【０００８】
上記の課題を解決するため、本発明は、通電によって作動する駆動装置と、前記駆動装置によって直線駆動される第１入力部材とを有する電気駆動部と、デッドボルトと、前記第１入力部材の直線動作を前記デッドボルトの進退動作に変換する第１動作変換機構と、鍵またはサムターンからの手動入力によって回転駆動される第２入力部材と、前記第２入力部材の回転動作を前記デッドボルトの進退動作に変換する第２動作変換機構とを有する本体部と、を備えた施錠装置において、前記電気駆動部および前記本体部はそれぞれユニット化され、前記第１入力部材が第１動作変換機構に着脱可能に連結されており、前記第１入力部材を第１動作変換機構から切り離すことにより、前記電気駆動部と本体部とが分離されて、前記本体部が単体で機械錠として使用可能となる構成を採用したのである。
【０００９】
ここで、前記デッドボルトは、その進退方向に平行に配される２枚の板状部材を、所定の間隔をおいて対向させた状態で締結部材によって締結したものとすることができる。このようにすれば、デッドボルトが軽くなり施錠装置全体を軽量化できるとともに、デッドボルトを他の部品との連結が容易な構造とすることができる。
【発明の効果】
【００１０】
本発明の施錠装置は、上述したように、駆動装置によって直線駆動される第１入力部材を有する電気駆動部と、第１入力部材の直線動作をデッドボルトの進退動作に変換する第１動作変換機構および手動入力による第２入力部材の回転動作をデッドボルトの進退動作に変換する第２動作変換機構を有する本体部をそれぞれユニット化し、通常形態では電気錠として使用でき、第１入力部材を第１動作変換機構から切り離すことにより、本体部を電気駆動部と分離して機械錠として使用できるようにしたものであるから、設置直前の電気錠から機械錠への仕様変更や、設置後の電気錠の機械錠への交換要求にスムーズに対応することができる。
【図面の簡単な説明】
【００１１】
【図１】実施形態の施錠装置の外観斜視図
【図２】図１の施錠装置の内部構造の概略を示す正面図
【図３】図１の施錠装置のデッドボルトの外観斜視図
【図４】ａ、ｂは、それぞれ図２に対応して電動入力による施錠時の電気駆動部の動作を説明する正面図
【図５】ａ、ｂは、それぞれ図２に対応して電動入力による施錠時の本体部の動作を説明する正面図
【図６】ａ、ｂは、それぞれ図２に対応して電動入力による開錠時の電気駆動部の動作を説明する正面図
【図７】図２に対応して電気駆動部と本体部を分離した状態を示す正面図
【発明を実施するための形態】
【００１２】
以下、図面に基づき、本発明の実施形態を説明する。この施錠装置は、図１および図２に示すように、電気駆動部１０の筐体である直方体状の上部ケース１１と、本体部２０の筐体である直方体状の下部ケース２１とを長手方向の端面どうしで突き合わせて上下に配し、後述するように電気駆動部１０と本体部２０の間でそれぞれの内部部品の一部を連結するとともに、両ケース１１、２１の一側面を覆う連結プレート１と、連結プレート１の表面に重ねられる上部プレート２および下部プレート３を両ケース１１、２１にねじ止めすることにより、それぞれユニット化された電気駆動部１０と本体部２０を一体化したものである。なお、前記各ケース１１、２１はいずれも蓋状の２つのケース部材どうしをねじ等で一体化したものであり、図２は各ケース１１、２１の一方（図１の正面側）のケース部材を取り外した状態を示している。
【００１３】
前記下部ケース２１の一側の側壁、連結プレート１および下部プレート３には、後述するように本体部２０のデッドボルト２２を出没させるための開口４が上下２箇所に設けられている。また、下部ケース２１の正面および背面の側壁には、本体部２０にシリンダを連結するための小判形の孔２１ａ（背面側は図示省略）があけられている。そして、上部ケース１１と下部ケース２１の互いの突き合わせ面には、前述のように内部部品の一部を連結するための開口が設けられている。
【００１４】
前記電気駆動部１０は、上部ケース１１内に、駆動装置としての駆動モータ１２と、駆動モータ１２の駆動源となる複数の電池１３と、駆動モータ１２の出力軸に取り付けられたウォームギア１４と、ウォームギア１４と噛み合うウォームホイール１５と、ウォームホイール１５の回転を従動側へ伝達していくギア群１６と、ギア群１６の従動側に連結されるラック１７と、ラック１７を直線運動可能に支持し、ラック１７と同方向に直線運動可能に保持されるレール状のスライダ１８とを収納したものである。
【００１５】
ここで、ギア群１６は、ウォームホイール１５と同一軸心で一体回転する第１ギア、第１ギアと噛み合う第２ギア、第２ギアと同一軸心で一体回転する第３ギア、第３ギアと噛み合う第４ギア、第４ギアと同一軸心で一体回転する第５ギアおよび第５ギアとラック１７の両方に噛み合うラックギアからなり、ウォームホイール１５の回転を減速してラックギアに伝達し、ラックギアの回転によりラック１７を直線運動させるものである。なお、ウォームホイール１５およびギア群１６を構成する各ギアは、それぞれ上部ケース１１に設けられた支軸に回転自在に支持されている。
【００１６】
ラック１７は、その一側壁に前記ラックギアと噛み合う歯が設けられており、裏面側に長手方向に延びる凹溝が設けられている。その凹溝は、長手方向中央に設けられた係合部１７ａで仕切られており、係合部１７ａの両側の部分にそれぞれスライダ１８表面に設けられた凸条１８ａが嵌まり込んでいる。これにより、ラックギアが回転したとき、係合部１７ａが進行方向でスライダ１８の凸条１８ａに当接するまでは、スライダ１８に案内されて単独で直線運動し、係合部１７ａがスライダ１８の凸条１８ａに当接した後は、スライダ１８とともに直線運動するようになっている。
【００１７】
スライダ１８は、上記のように駆動モータ１２によって直線駆動される第１入力部材となっている。そして、その下端部が上部ケース１１から突出して下部ケース２１内に入り込み、下端の表面に設けられた突起１８ｂで後述するように本体部２０の内部部品の一部と連結されている。
【００１８】
一方、前記本体部２０は、下部ケース２１内に、下部ケース２１の一側方へ向かって進退可能（先端部が下部ケース２１から出没可能）に保持されているデッドボルト２２と、スライダ１８の直線動作をデッドボルト２２の進退動作に変換する第１動作変換機構２３と、鍵またはサムターンからの手動入力によって回転駆動される第２入力部材としてのハブギア２４と、ハブギア２４の回転動作をデッドボルト２２の進退動作に変換する第２動作変換機構２５と、デッドボルト２２の進退方向位置を保持する保持機構２６を収納したものである。
【００１９】
ここで、デッドボルト２２は、図３に示すように、その進退方向に平行に配される２枚の板状部材２２ａ、２２ｂを、所定の間隔をおいて対向させた状態で複数の締結部材としてのリベット２２ｃ（一部のみ図示）によって締結したものである。これにより、デッドボルト２２自体が軽くなり施錠装置全体の軽量化に寄与するとともに、他の部品との連結が容易な構造となっている。
【００２０】
そして、図２に示すように、デッドボルト２２全体としては平面視で４つのアーム部を有する略Ｈ字状に形成されており、その２つの先端側アーム部の両板状部材２２ａ、２２ｂの間に、フックプレート２７が両板状部材２２ａ、２２ｂと平行な面内で回動自在に取り付けられている。各フックプレート２７は、下部ケース２１の一側方に臨む先端側の鉤部２７ａと、回動支点に近い基端側の鉤部２７ｂとを有している。その基端側鉤部２７ｂは、デッドボルト２２全体が下部ケース２１内にある（後退した）状態では、平面視で一部が開口する略矩形状の枠部材２８の一辺に当接している。枠部材２８は下部ケース２１に図示省略したネジ等で固定されている。
【００２１】
また、デッドボルト２２の後端側アーム部の一方では、各板状部材２２ａ、２２ｂに、後述するように第１動作変換機構２３と係合する凹部２２ｄが設けられ、後端側アーム部の他方では、各板状部材２２ａ、２２ｂに、後述するように第２動作変換機構２５との干渉を避けるための長孔２２ｅが設けられている。
【００２２】
前記第１動作変換機構２３は、電気駆動部１０のスライダ１８と連結されるリンクプレート２９と、下部ケース２１に回動自在に支持されてリンクプレート２９とデッドボルト２２の両方に係合するリンクアーム３０とからなる。なお、このリンクプレート２９とリンクアーム３０は、後述するように第２動作変換機構２５の構成部材ともなっている。
【００２３】
リンクプレート２９は、スライダ１８と同方向に延びる断面Ｌ字状の帯板部の長手方向両端に、長手方向と直交する方向に延びる係合部を有しており、その一端（上端）の係合部にはリンクアーム３０と係合するための長孔２９ａが設けられ、他端（下端）の係合部には第２動作変換機構２５の一部と係合するための長孔２９ｂ（図５（ｂ）参照）が設けられている。そして、その帯板部に設けられた連結孔２９ｃにスライダ１８の下端の突起１８ｂが嵌め込まれることにより、スライダ１８と着脱可能に連結されて一体に直線運動するようになっている。
【００２４】
リンクアーム３０は、下部ケース２１に回動自在に取り付けられる円環状の基部と、その基部から径方向外側に延びる２つのアーム３０ａ、３０ｂとからなり、その一方のアーム３０ａの先端部に設けられたピン３０ｃがリンクプレート２９一端側の長孔２９ａに挿入されてリンクプレート２９と係合し、他方のアーム３０ｂの先端部がデッドボルト２２後端側の凹部２２ｄに挿入されてデッドボルト２２と係合している。
【００２５】
そして、この第１動作変換機構２３では、スライダ１８が直線運動すると、これと一体にリンクプレート２９が直線運動し、リンクプレート２９と一方のアーム３０ａで係合するリンクアーム３０が回動して、リンクアーム３０の他方のアーム３０ｂがデッドボルト２２を押すことにより、デッドボルト２２を進退させるようになっている。
【００２６】
前記ハブギア２４は、下部ケース２１に固定されたガイド部材３１に外周側を回動自在に支持され、中心に設けられた係合孔２４ａに図示省略したシリンダが相対回転不能に挿通されて、そのシリンダの一端の鍵穴に差し込まれる鍵またはシリンダの他端に連結されるサムターンからの手動入力によって回転駆動されるようになっている。そして、このハブギア２４の外周の一部に、後述するように第２動作変換機構２５の一部と係合するための部分歯車２４ｂが設けられている。
【００２７】
前記第２動作変換機構２５は、前記第１動作変換機構２３の構成部材でもあるリンクプレート２９およびリンクアーム３０と、リンクプレート２９をハブギア２４に連結するリンクギア３２とからなる。
【００２８】
リンクギア３２は、デッドボルト２２の２枚の板状部材２２ａ、２２ｂの間に配されており、下部ケース２１に固定された支軸３３に回動自在に支持される円環状の基部と、その基部から径方向外側に延びる２つのアーム３２ａ、３２ｂとからなり、その基部の外周の一部に、ハブギア２４の部分歯車２４ｂと噛み合う部分歯車３２ｃが設けられている。なお、その基部を支持する支軸３３は、デッドボルト２２の各板状部材２２ａ、２２ｂの長孔２２ｅに通され、デッドボルト２２が進退してもデッドボルト２２と干渉しないようになっている。そして、その一方のアーム３２ａの先端部に設けられたピン３２ｄがリンクプレート２９の他端側の長孔２９ｂに挿入されてリンクプレート２９と係合し（図５（ｂ）参照）、他方のアーム３２ｂの先端部が後述するように保持機構２６の一部と連結されている。
【００２９】
この第２動作変換機構２５では、ハブギア２４が回転すると、これと噛み合うリンクギア３２が逆方向に回転し、リンクギア３２の一方のアーム３２ａと係合するリンクプレート２９が直線運動する。そして、リンクプレート２９が直線運動すると、前述の第１動作変換機構２３の動作と同じく、リンクアーム３０が回動してデッドボルト２２を進退させるようになっている。
【００３０】
前記保持機構２６は、下部ケース２１に回動自在に取り付けられる回動軸３５と、回動軸３５を径方向に貫通する状態で回動軸３５に固定されるばね支持軸３６と、ばね支持軸３６の外周に装着されるコイルばね３７とからなる。
【００３１】
ばね支持軸３６の先端部はリンクギア３２の他方のアーム３２ｂに回動自在に連結されており、コイルばね３７は圧縮状態で回動軸３５とリンクギア３２の他方のアーム３２ｂとに挟まれている。
【００３２】
この保持機構２６では、コイルばね３７がリンクギア３２の他方のアーム３２ｂを回動軸３５から離れる方向に付勢して、リンクギア３２に直前の施錠・開錠動作の際の回転方向と同方向の回転力を加えることにより、次の施錠・開錠動作が行われるまで、リンクギア３２の回転方向位置ひいてはデッドボルト２２の進退方向位置を保持するようになっている。
【００３３】
次に、この施錠装置の電動入力または手動入力による施錠・開錠動作について、以下に説明する。まず、図１、図２、図４（ａ）および図５（ａ）に示すように、デッドボルト２２全体が下部ケース２１に収納されて開錠状態にあるときは、デッドボルト２２が後退限にあって、本体部２０のリンクプレート２９および電気駆動部１０のスライダ１８は上限に位置している。そして、この開錠状態では、電気駆動部１０のラック１７がその長手方向中央部でギア群１６の従動側端のラックギアと噛み合う中立位置にあり、ラック１７裏面側の係合部１７ａがスライダ１８表面の下側の凸条１８ａに当接する状態にセットされている。
【００３４】
上記の開錠状態から、施錠を指示する電気信号により駆動モータ１２を駆動すると（電動入力を行うと）、その駆動力がウォームギア１４、ウォームホイール１５、ギア群１６を介してラック１７に加えられ、ラック１７がその係合部１７ａでスライダ１８の下側の凸条１８ａを下方へ押圧する。そして、図４（ｂ）および図５（ｂ）に示すように、ラック１７とともにスライダ１８が下方へ直線移動すると、前述の第１動作変換機構２３の作用により、スライダ１８と一体にリンクプレート２９が下方へ直線移動してリンクアーム３０が回動し、デッドボルト２２が前進限まで前進して、その先端部を下部ケース２１から突出させる。
【００３５】
このとき、デッドボルト２２に取り付けられた２つのフックプレート２７は、それぞれ基端側の鉤部２７ｂを枠部材２８に案内されることにより、デッドボルト２２の前進工程の前半ではデッドボルト２２とともに前進し、後半では互いに逆方向に回動して先端側の鉤部２７ａをデッドボルト２２の上下に突出させる。そして、デッドボルト２２の先端部が図示省略した受座の受穴に入り込むとともに、その受穴の上下面に設けられた凹部に各フックプレート２７の先端側の鉤部２７ａが入り込むことにより施錠状態となる。
【００３６】
また、このときには、リンクプレート２９の直線移動に伴い、第２動作変換機構２５の従動側と駆動側が逆になって、リンクギア３２が回転し、これと噛み合うハブギア２４も回転する。同時に、リンクギア３２の回転によって保持機構２６のばね支持軸３６と回動軸３５が一体に回動し、コイルばね３７がリンクギア３２に今回の施錠動作での回転方向と同方向の回転力を加え、リンクギア３２の回転方向位置ひいてはデッドボルト２２の進退方向位置が保持されるようになる。この保持機構２６の作用により、次の開錠動作が行われるまで施錠状態が保持される。
【００３７】
そして、上記のようにして施錠動作が完了すると、駆動モータ１２が一旦停止した後に逆方向に回転してラック１７を上方へ直線移動させ、図６（ａ）に示すようにラック１７が中立位置に戻ると駆動モータ１２が停止する。このとき、ラック１７の係合部１７ａはスライダ１８を押さないので、施錠状態は保持される。このラック１７位置の制御は、後述するように、次の電動入力による開錠動作にかかる時間を短縮するためのもので、ラック１７が中立位置にあることを検出するセンサと制御装置（いずれも図示省略）によって行われる。
【００３８】
上記の施錠状態（電気駆動部１０は図６（ａ）の状態）から、開錠を指示する電気信号により駆動モータ１２が駆動されると、電気駆動部１０および本体部２０の各部品が施錠時と逆方向に作動し、デッドボルト２２全体が下部ケース２１に収納されて開錠状態（電気駆動部１０は図６（ｂ）の状態）となるとともに、その開錠状態を保持機構２６が保持するようになる。
【００３９】
ここで、駆動モータ１２が駆動される前には、前述のラック１７位置制御により、図６（ａ）に示すようにラック１７の係合部１７ａがスライダ１８の上側の凸条１８ａに当接する状態にセットされているので、駆動モータ１２を駆動するとタイムラグなくスライダ１８の上方への直線移動が始まり、ラック１７位置制御を行わない場合に比べて短時間で開錠動作を完了することができる。
【００４０】
そして、開錠動作完了後は、図６（ｂ）に示すようにラック１７が上限位置にあるが、ラック１７位置制御が駆動モータ１２を逆方向に回転させてラック１７を中立位置へ移動させるので、図４（ａ）および図５（ａ）の状態に戻る。
【００４１】
一方、鍵またはサムターンからの手動入力によってハブギア２４を回転駆動すると、前述の第２動作変換機構２５の作用により、リンクギア３２が回転してリンクプレート２９が直線運動するので、電動入力の場合と同じく、リンクアーム３０が回動してデッドボルト２２が進退し、施錠・開錠動作が行われて、その動作後の状態が保持機構２６によって保持される。
【００４２】
なお、上述した手動入力による施錠・開錠動作では、リンクプレート２９と一体に電気駆動部１０のスライダ１８も直線運動するが、ラック１７は中立位置から動かないので、前述のラック１７位置制御は行われない。
【００４３】
この施錠装置は、上記の構成であり、電気駆動部１０と本体部２０がそれぞれユニット化されており、その電気駆動部１０のスライダ１８が本体部２０の第１動作変換機構２３のリンクプレート２９に着脱可能に連結されているので、通常形態では電気錠として使用でき、図７に示すように、連結プレート１、上部プレート２および下部プレート３を上部ケース１１および下部ケース２１から取り外し、スライダ１８をリンクプレート２９から切り離すことにより、電気駆動部１０と本体部２０とを分離して、本体部２０を単体で機械錠として使用することができる。
【００４４】
したがって、設置直前の電気錠から機械錠への仕様変更や、設置後の電気錠の機械錠への交換要求にもスムーズに対応することができる。また、製造時には受注状況等に応じて一種類の設計から電気錠と機械錠を容易に作り分けることができるので、設計・製造工程の効率化も図れる。
【００４５】
なお、本発明の施錠装置は、上述した実施形態のものに限らず、電気駆動部と本体部がそれぞれユニット化されて、電気駆動部の第１入力部材が本体部の第１動作変換機構に着脱可能に連結されており、第１入力部材を第１動作変換機構から切り離すことにより、電気駆動部と本体部とが分離されるようにしたものであればよい。
【００４６】
例えば、実施形態では、電気駆動部の駆動装置として駆動モータ１２を用い、その駆動力をウォームギア１４、ウォームホイール１５、ギア群１６を介してラック１７に加え、ラック１７とスライダ１８を直線運動させるようにしたが、駆動装置としてソレノイドアクチュエータを用い、その駆動力で直接スライダを直線運動させるようにすることもできる。その場合は、ウォームギアからラックまでの部品が不要となり、電気駆動部の構造を簡素化できる。
【符号の説明】
【００４７】
１  連結プレート
２  上部プレート
３  下部プレート
４  開口
１０  電気駆動部
１１  上部ケース
１２  駆動モータ
１３  電池
１４  ウォームギア
１５  ウォームホイール
１６  ギア群
１７  ラック
１８  スライダ（第１入力部材）
１８ｂ  突起
２０  本体部
２１  下部ケース
２２  デッドボルト
２２ａ、２２ｂ  板状部材
２２ｃ  リベット（締結部材）
２３  第１動作変換機構
２４  ハブギア（第２入力部材）
２５  第２動作変換機構
２６  保持機構
２７  フックプレート
２８  枠部材
２９  リンクプレート
２９ｃ  連結孔
３０  リンクアーム
３１  ガイド部材
３２  リンクギア
３３  支軸
３５  回動軸
３６  ばね支持軸
３７  コイルばね
【図１】
2019027221.tif 000003
【図２】
2019027221.tif 000004
【図３】
2019027221.tif 000005
【図４】
2019027221.tif 000006
【図５】
2019027221.tif 000007
【図６】
2019027221.tif 000008
【図７】
2019027221.tif 000009